【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  交通機関における停留所において、その停留所から遠隔した特定の部位から送信される、使用を許可できない使用不可カードの識別情報が登録されている使用不可カード登録リスト情報を受信する受信手段と、
前記停留所において、利用者が所持する乗車券としての無線カードとの間で無線通信することにより、その無線カードに記録されている固有の識別情報を読取る読取手段と、
この読取手段により読取られた識別情報が前記受信手段により受信された使用不可カード登録リスト情報内に存在するか否かを判定する判定手段と、
この判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段と、
を具備したことを特徴とする無線カード処理システム。
【請求項２】  乗物の内部に設置され、外部から送信される、使用を許可できない使用不可カードの識別情報が登録されている使用不可カード登録リスト情報を受信する受信手段と、
前記乗物の停留所において、利用者が前記乗物に乗車する際、その利用者が所持する乗車券としての無線カードとの間で無線通信することにより、その無線カードに記録されている固有の識別情報を読取る読取手段と、
この読取手段により読取られた識別情報が前記受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
を具備したことを特徴とする無線カード処理システム。
【請求項３】  乗物の内部に設置され、外部から送信される、使用を許可できない使用不可カードの識別情報が登録されている使用不可カード登録リスト情報を受信する受信手段と、
前記乗物から利用者が降車する際、その利用者が所持する乗車券としての無線カードとの間で無線通信することにより、その無線カードに記録されている固有の識別情報を読取る読取手段と、
この読取手段により読取られた識別情報が前記受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
前記判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段と、
を具備したことを特徴とする無線カード処理システム。
【請求項４】  乗物の内部に設置され、外部から送信される、使用を許可できない使用不可カードの識別情報が登録されている使用不可カード登録リスト情報を受信する受信手段と、
前記乗物に既に乗車している利用者が所持する乗車券としての無線カードとの間で無線通信することにより、その無線カードに記録されている固有の識別情報を読取る読取手段と、
この読取手段により読取られた識別情報が前記受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
を具備したことを特徴とする無線カード処理システム。
【請求項５】  交通機関における停留所において、その停留所から遠隔した特定の部位から送信される、使用を許可できない使用不可カードの識別情報が登録されている使用不可カード登録リスト情報を受信する第１の受信手段と、
この第１の受信手段により受信した使用不可カード登録リスト情報を乗物に対して送信する送信手段と、
前記乗物の内部に設置され、前記停留所の送信手段から送信される使用不可カード登録リスト情報を受信する第２の受信手段と、
前記停留所において、利用者が前記乗物に乗車する際、その利用者が所持する乗車券としての無線カードとの間で無線通信することにより、その無線カードに記録されている固有の識別情報を読取る読取手段と、
この読取手段により読取られた識別情報が前記第２の受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
を具備したことを特徴とする無線カード処理システム。
【請求項６】  交通機関における停留所において、その停留所から遠隔した特定の部位から送信される、使用を許可できない使用不可カードの識別情報が登録されている使用不可カード登録リスト情報を受信する第１の受信手段と、
この第１の受信手段により受信した使用不可カード登録リスト情報を乗物に対して送信する送信手段と、
前記乗物の内部に設置され、前記停留所の送信手段から送信される使用不可カード登録リスト情報を受信する第２の受信手段と、
前記乗物から利用者が降車する際、その利用者が所持する乗車券としての無線カードとの間で無線通信することにより、その無線カードに記録されている固有の識別情報を読取る読取手段と、
この読取手段により読取られた識別情報が前記第２の受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
前記判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段と、
を具備したことを特徴とする無線カード処理システム。
【請求項７】  交通機関における停留所において、その停留所から遠隔した特定の部位から送信される、使用を許可できない使用不可カードの識別情報が登録されている使用不可カード登録リスト情報を受信する第１の受信手段と、
この第１の受信手段により受信した使用不可カード登録リスト情報を乗物に対して送信する送信手段と、
前記乗物の内部に設置され、前記停留所の送信手段から送信される使用不可カード登録リスト情報を受信する第２の受信手段と、
前記乗物に既に乗車している利用者が所持する乗車券としての無線カードとの間で無線通信することにより、その無線カードに記録されている固有の識別情報を読取る読取手段と、
この読取手段により読取られた識別情報が前記第２の受信手段により受信された使用不可カード登録リスト情報内に存在するか否かを判定する判定手段と、
この判定手段により前記無線カードから読取られた識別情報が前記使用不可カード登録リスト情報内に存在すると判定された場合、その旨を当該乗物の事業者に対して報知する不正報知手段と、
を具備したことを特徴とする無線カード処理システム。
【手続補正２】
【補正対象書類名】明細書
【補正対象項目名】０００６
【補正方法】変更
【補正の内容】
【０００６】
【課題を解決するための手段】
本発明の無線カード処理システムは、交通機関における停留所において、その停留所から遠隔した特定の部位から送信される、使用を許可できない使用不可カードの識別情報が登録されている使用不可カード登録リスト情報を受信する受信手段と、前記停留所において、利用者が所持する乗車券としての無線カードとの間で無線通信することにより、その無線カードに記録されている固有の識別情報を読取る読取手段と、この読取手段により読取られた識別情報が前記受信手段により受信された使用不可カード登録リスト情報内に存在するか否かを判定する判定手段と、この判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段とを具備している。
【手続補正３】
【補正対象書類名】明細書
【補正対象項目名】０００７
【補正方法】変更
【補正の内容】
【０００７】
また、本発明の無線カード処理システムは、乗物の内部に設置され、外部から送信される、使用を許可できない使用不可カードの識別情報が登録されている使用不可カード登録リスト情報を受信する受信手段と、前記乗物の停留所において、利用者が前記乗物に乗車する際、その利用者が所持する乗車券としての無線カードとの間で無線通信することにより、その無線カードに記録されている固有の識別情報を読取る読取手段と、この読取手段により読取られた識別情報が前記受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段とを具備している。
【手続補正４】
【補正対象書類名】明細書
【補正対象項目名】０００８
【補正方法】変更
【補正の内容】
【０００８】
また、本発明の無線カード処理システムは、乗物の内部に設置され、外部から送信される、使用を許可できない使用不可カードの識別情報が登録されている使用不可カード登録リスト情報を受信する受信手段と、前記乗物から利用者が降車する際、その利用者が所持する乗車券としての無線カードとの間で無線通信することにより、その無線カードに記録されている固有の識別情報を読取る読取手段と、この読取手段により読取られた識別情報が前記受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段と、前記判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段とを具備している。
【手続補正５】
【補正対象書類名】明細書
【補正対象項目名】０００９
【補正方法】変更
【補正の内容】
【０００９】
また、本発明の無線カード処理システムは、乗物の内部に設置され、外部から送信される、使用を許可できない使用不可カードの識別情報が登録されている使用不可カード登録リスト情報を受信する受信手段と、前記乗物に既に乗車している利用者が所持する乗車券としての無線カードとの間で無線通信することにより、その無線カードに記録されている固有の識別情報を読取る読取手段と、この読取手段により読取られた識別情報が前記受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段とを具備している。
【手続補正６】
【補正対象書類名】明細書
【補正対象項目名】００１０
【補正方法】変更
【補正の内容】
【００１０】
また、本発明の無線カード処理システムは、交通機関における停留所において、その停留所から遠隔した特定の部位から送信される、使用を許可できない使用不可カードの識別情報が登録されている使用不可カード登録リスト情報を受信する第１の受信手段と、この第１の受信手段により受信した使用不可カード登録リスト情報を乗物に対して送信する送信手段と、前記乗物の内部に設置され、前記停留所の送信手段から送信される使用不可カード登録リスト情報を受信する第２の受信手段と、前記停留所において、利用者が前記乗物に乗車する際、その利用者が所持する乗車券としての無線カードとの間で無線通信することにより、その無線カードに記録されている固有の識別情報を読取る読取手段と、この読取手段により読取られた識別情報が前記第２の受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段とを具備している。
【手続補正７】
【補正対象書類名】明細書
【補正対象項目名】００１１
【補正方法】変更
【補正の内容】
【００１１】
また、本発明の無線カード処理システムは、交通機関における停留所において、その停留所から遠隔した特定の部位から送信される、使用を許可できない使用不可カードの識別情報が登録されている使用不可カード登録リスト情報を受信する第１の受信手段と、この第１の受信手段により受信した使用不可カード登録リスト情報を乗物に対して送信する送信手段と、前記乗物の内部に設置され、前記停留所の送信手段から送信される使用不可カード登録リスト情報を受信する第２の受信手段と、前記乗物から利用者が降車する際、その利用者が所持する乗車券としての無線カードとの間で無線通信することにより、その無線カードに記録されている固有の識別情報を読取る読取手段と、この読取手段により読取られた識別情報が前記第２の受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段と、前記判定手段により前記無線カードから読取られた識別情報が前記使用不可カード登録リスト情報内に存在すると判定された場合、前記利用者が所持する当該無線カードとの間で無線通信することにより、その無線カード内に使用不可情報を書込む使用不可処理手段とを具備している。
【手続補正８】
【補正対象書類名】明細書
【補正対象項目名】００１２
【補正方法】変更
【補正の内容】
【００１２】
さらに、本発明の無線カード処理システムは、交通機関における停留所において、その停留所から遠隔した特定の部位から送信される、使用を許可できない使用不可カードの識別情報が登録されている使用不可カード登録リスト情報を受信する第１の受信手段と、この第１の受信手段により受信した使用不可カード登録リスト情報を乗物に対して送信する送信手段と、前記乗物の内部に設置され、前記停留所の送信手段から送信される使用不可カード登録リスト情報を受信する第２の受信手段と、前記乗物に既に乗車している利用者が所持する乗車券としての無線カードとの間で無線通信することにより、その無線カードに記録されている固有の識別情報を読取る読取手段と、この読取手段により読取られた識別情報が前記第２の受信手段により受信された使用不可カード登録リスト情報内に存在するか否かを判定する判定手段と、この判定手段により前記無線カードから読取られた識別情報が前記使用不可カード登録リスト情報内に存在すると判定された場合、その旨を当該乗物の事業者に対して報知する不正報知手段とを具備している。